(57)【要約】      （修正有）【課題】職人の技術が無くても、誰にでも加工ができ、刃体部の均一な強度を出すとともに表面模様にも楽しく、綺麗で、作者の想いを伝える形で表現ができる刃物を提供することにある。【解決手段】上記課題を達成するために、材質の異なる複数の積層材料４を使用した積層材の刃物において、積層材の刃体部表面の決められた箇所に、花形など有形模様の型を使用してプレス加工で型押しを行い積層材料の層にズレを形成することで、均一な強度を出すとともに研削によって有形模様２を明確に表現することにより解決する。【選択図】    図１
2006141918.tif 000002
【特許請求の範囲】
【請求項１】
材質の異なる複数の積層材料（４、５、６）を使用した積層材（１０）の刃物において、積層材（１０）の刃体部（１）に、プレス加工による積層材料のズレ（１２）と有形模様（２）を設けたことを特徴とする刃物。
【発明の詳細な説明】
【発明の詳細な説明】
【技術分野】
【０００１】この発明は、刃物に関するものである。
【背景技術】
【０００２】従来の積層材を利用した包丁等刃物は、刃先に強度を持たせたり波形の模様を出す為に、槌目といって昔から刀を作る時のように細かく金槌を使用し、職人の手で打っていた。近年もプレスにハンマーを取り付け連続的に打つ方法をとっていた。これらの方法では、積層材に均一な強度を出すために決まった箇所を打つ事は、熟練の職人にはできても、一般作業者の誰にでもできることではなかった。【０００３】また、従来のように槌やハンマーで打ち込まれた刃体部の場合、その積層材を研削し、研磨したとき積層材の表面に現れる模様が不規則で不明確に現れ、美的表現がしにくく、不均一な模様となり『霞』『槌目』のようにぼかした表現しかできなかった。【０００４】このように従来の積層材を利用した包丁等刃物は、強度を出すために、職人的な技術を必要とし、刃体部の表面模様には楽しく、綺麗で、作者の想いを伝える均一で解りやすい表現が出来なかったのである。
【特許文献１】特開平７−８０１６３号公報
【意匠文献２】
意匠登録第１２１７８７９号公報
【発明の開示】
【発明が解決しようとする課題】
【０００５】この発明は、従来の積層材を利用した包丁等刃物において、刃物の強度と模様を出すために、職人的な技術を必要とし、均一な強度を出す事は、誰にでもできることではなかった。また、刃体部を研削したとき積層材の模様が不規則に現れ、美しさが表現しにくく不明確でぼかしたような形の表現しかできなかった。
そこで、熟練した職人の技術が無くても、誰にでも加工ができ、刃物として均一の強度を出し刃体部の表面模様にも楽しく、綺麗で、作者の想いを伝える形で表現が出来る刃物を提供することにある。
【課題を解決するための手段】
【０００６】上記課題を達成するために、材質の異なる複数の積層材料を使用した積層材の刃物において、積層材の刃体部表面の決められた箇所に、花形など有形模様の型を使用してプレス加工で型押しを行い積層材料の層にズレを形成することで、均一な強度を出すとともに有形模様を明確に表現することにより解決する。
【発明の効果】
【０００７】本発明は、前記のように構成され、従来の積層材を槌目といって昔から刀を作る時のように細かく金槌等で職人の手で打ったり、近年のようにプレスにハンマーを取り付け連続的に打つプレスハンマーの方法をとることなく、有形模様の型を使用してプレス加工により有形模様を形成することで刃体部に短時間で均一の強度を出せる効果がある。【０００８】また従来のように積層材を研削した場合の単純な縞模様や、槌目やハンマーで出来る不明確な模様ではなく、有形模様によって明確で解りやすく、楽しく、作者の想いを表す事ができ、積層材の材質の違った材料を組み合わせ積層する構造を上手く利用した綺麗で明確な模様を表現することが出来る効果がある。
【発明を実施するための最良の形態・実施例】
【００１０】図１は、本発明の刃物を示す図で有形模様２が刃体部１の刃先部に添って配列されている状態を示すものである。有形模様２が刃先部に添って配列されでプレス型で凹圧されたことにより、刃先部に添って積層材料４、５、６に熟練した職人が鎚で打ったような効果のある均一の強度を出せるのである。
【００１１】図２は、図１の有形模様２の一部断面及び斜視図で、材質の違った積層材料４、５、６にプレス加工をすることで積層材料のズレ１２ができ、積層材１０の両側を斜めに研削した表面に花形の有形模様２が表現していることを示すものである。積層材１０をプレス加工することにより積層材料４、５、６の圧縮と積層材料のズレ１２ができ、積層材１０の強度が増すとともに、有形模様２として綺麗な花形の縞模様が表現できるのである。
【００１２】以下、形成手順について図３から図６で説明する。
図３は、有機模様のプレス型凸部８で、プレスにより凹圧して、プレス成形凹部７が形成され、積層材１０を構成する質の違った積層材料５、６が積層材料のずれ１２を圧縮形成した断面を示すものである。この図では、積層材料５、６の枚数は省略してある。
【００１３】図４は、図３を斜めから見た図である。
【００１４】図５は、積層材１０の両側の研削部分１１ａ、１１ｂを研削し刃物の形状としたときの積層材料４、５、６と有形模様２の状態を示す断面図である。積層材料５、６に積層材料のずれ１２が形成されている。
【００１５】図６は、本発明の別実施例で有形模様２を刃体部中央に分散してに配置した状態を示すものである。有形模様２の配置は、刃物に合わせて適宜配置できる。
【００１６】また本発明でプレス加工とは、フレクション、ハンドプレス、パワープレス、鍛造等をいう。
【００１７】また本発明の技術分野の刃物とは、調理用包丁、キッチンナイフ、ポケットナイフ、登山刀、水中用ナイフ、フルーツナイフ、切り出し、彫刻刀、なた、鎌、はさみ、電工ナイフ、ヨットマンナイフ、ダイバーナイフ、飲食用ナイフ、バターナイフ、ピザカッター、チーズナイフ、マニキュア用ナイフ、削事ナイフ、シール等剥離ナイフ、パレットナイフ、ペインテイングナイフ、ペーパーナイフ、手術用ナイフ狩猟用ナイフ、鉛筆削りナイフ、ノコギリ等を含むものである。
【００１８】また本実施例では、有形模様２を刃物の片面に設けているが、両面に設けても良い。
【００１９】また本発明でいう有形模様２とは、自然界に存在する有形のもの、例えば、山、鳥、魚、動物、樹木、花木、川、星、太陽、月、草花等  または、人間が作り出した造形物、例えば、建物、塔、橋、自動車、汽車、電車、飛行機等及び、マーク、数字、アルファベット、漢字等の文字をいうものである。
【図面の簡単な説明】
【図１】本発明の包丁を示す全体図である。
【図２】本発明の断面と表面を表す部分図を示す。
【図３】本発明の加工状態の部分断面、斜視図を示す。
【図４】本発明の加工状態を示す斜視図を示す。
【図５】本発明の包丁を研削したときの部分断面を示す。
【図６】本発明の別実施例を示す。
【符号の説明】
１：刃体部    ２：有形模様    ３：ハンドル    ４：積層材料ａ材
５：積層材料ｂ材    ６：積層材料ｃ材    ７：プレス成形凹部
８：プレス型凸部    ９：プレス型保持部  １０：積層材
１１ａ・１１ｂ：研削部分  １２：積層材料のズレ
【図１】
2006141918.tif 000003
【図２】
2006141918.tif 000004
【図３】
2006141918.tif 000005
【図４】
2006141918.tif 000006
【図５】
2006141918.tif 000007
【図６】
2006141918.tif 000008